(57)【要約】【課題】端末装置において、より高度な省電力化を図る。【解決手段】衛星測位システムにより装置の現在位置を取得するために衛星からの電波を受信する受信部と、無線アクセスポイントを介してコンピュータネットワーク上のコンピュータと通信を行うための通信部とを備えた端末装置において、受信部又は通信部のうちのいずれか一方への電力供給を制限しない場合には他方への電力供給を制限する（ステップ４５、４６）制御部を設ける。制御部はたとえば、受信部又は通信部のうちのいずれか一方による受信又は通信が不能となった場合、前記一方へ制限なく行っていた電力供給を制限し、他方への電力供給の制限を解除する（ステップ４１、４２、４４〜４６）ものである。【選択図】図４
2011193296.tif 000002
【特許請求の範囲】
【請求項１】
衛星測位システムにより装置の現在位置を取得するために衛星からの電波を受信する受信部と、
無線アクセスポイントを介してコンピュータネットワーク上のコンピュータと通信を行うための通信部と、
前記受信部又は通信部のうちのいずれか一方への電力供給を制限しない場合には他方への電力供給を制限する制御部とを具備することを特徴とする端末装置。
【請求項２】
前記制御部は、前記受信部又は通信部のうちのいずれか一方による受信又は通信が不能となった場合、前記一方へ制限なく行っていた電力供給を制限し、他方への電力供給の制限を解除することを特徴とする請求項１に記載の端末装置。
【請求項３】
前記制御部は、前記一方への電力供給を制限している場合、前記一方による受信又は通信が可能であるか否かを所定時間毎に判定し、可能であると判定した場合、前記一方への電力供給の制限を解除し、他方への電力供給を制限することを特徴とする請求項１又は２に記載の端末装置。
【請求項４】
前記制御部は、前記所定時間毎の判定を、装置が移動している場合に行うことを特徴とする請求項３に記載の端末装置。
【請求項５】
前記制御部は、前記受信部又は通信部による受信又は通信の双方が可能である場合には、予め定められた前記一方に対する電力供給は制限せず、前記他方に対する電力供給を制限することを特徴とする請求項１〜４のいずれか１項に記載の端末装置。
【請求項６】
衛星測位システムにより装置の現在位置を取得するために衛星からの電波を受信する受信部と、
無線アクセスポイントを介してコンピュータネットワーク上のコンピュータと通信を行うための通信部とを備えた端末装置における電力供給制御方法であって、
前記受信部又は通信部のうちのいずれか一方への電力供給を制限しない場合には他方への電力供給を制限することを特徴とする電力供給制御方法。
【請求項７】
請求項６の電力供給制御方法をコンピュータに実行させることを特徴とするプログラム。
【発明の詳細な説明】
【技術分野】
【０００１】
本発明は、衛星測位システムにより装置の現在位置を特定する機能及び無線アクセスポイントを介して通信を行う機能を備えた端末装置、これに用いる電力供給制御方法及びプログラムに関する。
【背景技術】
【０００２】
従来、ＧＰＳ受信機や無線ＬＡＮ機能を備える各種の携帯端末が知られている。ＧＰＳ受信機は携帯端末の現在位置を取得するために用いられる。携帯端末は、取得される現在位置に基づいてナビゲーション機能等の各種機能を提供することができる。また、無線ＬＡＮ機能により、ウェブ・ブラウジング機能等を提供することができる。
【０００３】
一方、車載用のハンズフリー装置と携帯電話との間をブルートゥース通信により接続してハンズフリー通話を行うことができるようにしたシステムが知られている。さらに、このようなシステムとして、ブルートゥース通信のための携帯電話における消費電力を極力抑えるために、エンジン停止によりブルートゥース通信が切断されたとき、携帯電話の位置を駐車位置として記憶するとともに、携帯電話のブルートゥース無線部を、待受けを行わないスリープモードに移行させ、携帯電話を所持したユーザが再び駐車位置に戻ったときに、ブルートゥース無線部を待受け状態に復帰させ、ハンズフリー通話モードへの移行準備を行うようにしたものも知られている（たとえば、特許文献１参照）。
【先行技術文献】
【特許文献】
【０００４】
【特許文献１】特開２００６−２８７６４４号公報
【発明の概要】
【発明が解決しようとする課題】
【０００５】
しかしながら、上述の携帯端末によれば、ＧＰＳ受信機の動作及び無線ＬＡＮ機能の実行にはともに多くの電力を消費するため、ＧＰＳ受信機や無線ＬＡＮ機能を頻繁に使用すると、電池が切れるまでの時間をかなり短縮することになる。これを改善するために、上述の携帯電話の場合のように、アクセスポイントとの間の通信が切断されたとき、その場所を記憶して該通信用の電源をオフ状態とし、再びそのアクセスポイントの近傍に戻ってきたときに該電源をオン状態に復帰させることも考えられる。
【０００６】
しかしこのような通信の切断位置に基づいて通信用電源のオン・オフ制御を行う技術によれば、現在位置を特定することができない場合、たとえばＧＰＳ信号を受信することができないような環境にある場合には、通信の切断位置を検知することができないので、効果を発揮することはできない。また、現在位置を特定するためにＧＰＳを用いている場合には、通信の切断位置を検知することができるように、ＧＰＳ受信機を常時動作させておくことが望ましいが、その場合、無線ＬＡＮ機能及びＧＰＳ受信機の動作が同時に行われる期間が存在するので、その期間においては、無線ＬＡＮ機能及びＧＰＳ受信機により消費される電力を削減することはできない。
【０００７】
本発明の目的は、かかる従来技術の問題点に鑑み、携帯端末において、より高度な省電力化を図ることにある。
【課題を解決するための手段】
【０００８】
この目的を達成するため、第１の発明に係る端末装置は、衛星測位システムにより装置の現在位置を取得するために衛星からの電波を受信する受信部と、無線アクセスポイントを介してコンピュータネットワーク上のコンピュータと通信を行うための通信部と、前記受信部又は通信部のうちのいずれか一方への電力供給を制限しない場合には他方への電力供給を制限する制御部とを具備することを特徴とする。
【０００９】
第２の発明に係る端末装置は、第１発明において、前記制御部は、前記受信部又は通信部のうちのいずれか一方による受信又は通信が不能となった場合、前記一方へ制限なく行っていた電力供給を制限し、他方への電力供給の制限を解除することを特徴とする。
【００１０】
第３の発明に係る端末装置は、第１又は第２発明において、前記制御部は、前記一方への電力供給を制限している場合、前記一方による受信又は通信が可能であるか否かを所定時間毎に判定し、可能であると判定した場合、前記一方への電力供給の制限を解除し、他方への電力供給を制限することを特徴とする。
【００１１】
第４の発明に係る端末装置は、第３発明において、前記制御部は、前記所定時間毎の判定を、装置が移動している場合に行うことを特徴とする。
【００１２】
第５の発明に係る端末装置は、第１〜第４のいずれかの発明において、前記制御部は、前記受信部又は通信部による受信又は通信の双方が可能である場合には、予め定められた前記一方に対する電力供給は制限せず、前記他方に対する電力供給を制限することを特徴とする。
【００１３】
第６の発明に係る電力供給制御方法は、衛星測位システムにより装置の現在位置を取得するために衛星からの電波を受信する受信部と、無線アクセスポイントを介してコンピュータネットワーク上のコンピュータと通信を行うための通信部とを備えた端末装置における電力供給制御方法であって、前記受信部又は通信部のうちのいずれか一方への電力供給を制限しない場合には他方への電力供給を制限することを特徴とする。
【００１４】
第７の発明に係るプログラムは第６の電力供給制御方法をコンピュータに実行させることを特徴とする。
【発明の効果】
【００１５】
本発明によれば、従来より高度な省電力化を図ることができる。
【図面の簡単な説明】
【００１６】
【図１】本発明の一実施形態に係る携帯端末の構成を示すブロック図である。
【図２】図１の携帯端末のＧＰＳ受信部及び無線通信部の電源制御が行われる様子を示す図である。
【図３】従来技術を応用した携帯端末における電源制御の様子を示す図である。
【図４】図１の携帯端末における無線通信部制御処理の一例を示すフローチャートである。
【図５】図１の携帯端末におけるＧＰＳ受信部制御処理の一例を示すフローチャートである。
【図６】図１の携帯端末におけるＧＰＳ受信部制御処理の別の例を示すフローチャートである。
【図７】図６のＧＰＳ受信部制御処理を行う場合に実行される無線通信部制御処理を示すフローチャートである。
【図８】図１の携帯端末におけるＧＰＳ受信部制御処理のさらに別の例を示すフローチャートである。
【図９】図８のＧＰＳ受信部制御処理において行われる電源制御処理を示すフローチャートである。
【図１０】図１の携帯端末における無線通信部制御処理の別の例を示すフローチャートである。
【図１１】図１０の無線通信部制御処理を行う場合に実行されるＧＰＳ受信部制御処理を示すフローチャートである。
【図１２】図６及び図１０の処理を組み合わせるとともにＧＰＳ信号の受信を優先して行うようにした場合におけるＧＰＳ受信部制御処理の一例を示すフローチャートである。
【図１３】図１２のＧＰＳ受信部制御処理が行われる場合に実行される無線通信部制御処理を示すフローチャートである。
【図１４】図６及び図１０の処理を組み合わせるとともに無線通信部による通信を優先して行うようにした場合におけるＧＰＳ受信部制御処理の一例を示すフローチャートである。
【図１５】図１４のＧＰＳ受信部制御処理が行われる場合に実行される無線通信部制御処理を示すフローチャートである。
【図１６】図８及び図１０の処理を組み合わせるとともにＧＰＳ信号の受信を優先して行うようにした場合におけるＧＰＳ受信部制御処理の一例を示すフローチャートである。
【図１７】図１６のＧＰＳ受信部制御処理において実行される電源制御処理を示すフローチャートである。
【図１８】図８及び図１０の処理を組み合わせるとともに無線通信部による通信を優先して行うようにした場合におけるＧＰＳ受信部制御処理の一例を示すフローチャートである。
【図１９】図１８のＧＰＳ受信部制御処理において実行される電源制御処理を示すフローチャートである。
【発明を実施するための形態】
【００１７】
図１は本発明の一実施形態に係る携帯端末の構成を示すブロック図である。同図に示すようにこの携帯端末は、必要な情報処理を行い、携帯端末の各部を制御するＣＰＵ１１、ＣＰＵ１１がユーザに対し、必要な情報の表示を行うための表示部１２、ユーザがＣＰＵ１１に対して指示を与えるための操作部１３、ＣＰＵ１１が処理するプログラム、データ等の情報を記憶するための情報記憶部１４、ＣＰＵ１１に時刻や経過時間を供給するための時計・タイマ部１５、ＣＰＵ１１が現在位置を取得するためのＧＰＳ受信部１６、ＣＰＵ１１が無線ＬＡＮアクセスポイントを介して通信を行うための無線通信部１７、ＧＰＳ受信部１６がＧＰＳ電波を受信するためのＧＰＳアンテナ１８、及び無線通信部１７が無線ＬＡＮアクセスポイントとの間で通信を行うための無線通信アンテナ１９を備える。
【００１８】
携帯端末としては、たとえば、モバイルパソコンや、携帯電話、ＰＤＡ（携帯情報端末）、携帯ゲーム機が該当する。無線通信部１７は、ＩＥＥＥ８０２．１１ｂ／ｇ等の無線ＬＡＮ規格に従い、無線ＬＡＮアクセスポイントとの間で通信を行う機能を提供する。ＣＰＵ１１は、無線通信部１７による無線ＬＡＮ機能を利用してコンピュータネットワーク上のサーバ等にアクセスし、ウェブ・ブラウジングや、コンテンツのダウンロード、データの授受等の機能をユーザに提供することができる。また、ＣＰＵ１１は、ＧＰＳ受信部１６を介して得られる位置情報に基づき、現在位置に関連した情報の取得や発信機能、ナビゲーション機能等を提供することができる。これらの機能を提供するに際し、ＣＰＵ１１は、情報記憶部１４に記憶されているデータベースの情報を用いることができる。これらの機能の提供を受けるに際し、ユーザは表示部１２及び操作部１３により構成されるユーザインタフェースを介し、ＣＰＵ１１との間で情報や指示の授受を行うことができる。
【００１９】
ＣＰＵ１１は所定の時間間隔で、外部サーバ等との間の通信要求が存在することを条件として、無線通信部１７を介して通信を行う無線通信部制御処理を実行する。また、所定の時間間隔で、ＧＰＳ受信部１６を介して受信されるＧＰＳ情報に基づき、携帯端末の現在位置を取得するＧＰＳ受信部制御処理を実行する。無線通信部１７による通信の可能性や、ＧＰＳ受信部１６によるＧＰＳ信号の受信の可能性は、携帯端末の移動等に応じて刻々変化する。かかる状況の変化に基づき、無線通信部制御処理及びＧＰＳ受信部制御処理においては、ＧＰＳ受信部１６及び無線通信部１７の電源をオン状態及びオフ状態間で切り替える電源制御が併せて実行される。無線通信部制御処理及びＧＰＳ受信部制御処理としては、以下に説明するように、各種の態様のものが考えられる。各無線通信部制御処理及びＧＰＳ受信部制御処理は、所定のプログラムに従い、所定の時間間隔で定期的に実行される。
【００２０】
ＧＰＳ電波は屋内では受信できない場合が多いので、現在位置に関連した機能の提供は専ら屋外で行われる。一方、ＩＥＥＥ８０２．１１ｂ／ｇ等の規格に従った無線ＬＡＮ機能は移動しながら利用されることは少ない。本実施形態においては、これを考慮し、ＧＰＳ受信部１６及び無線通信部１７の電源を制御することにより、電力消費量の削減を図るようにしている。すなわち、ＣＰＵ１１は、（１）無線通信部制御処理を行う際に、無線通信部１７による通信が困難と判定した場合には、ＧＰＳ受信部１６の電源をオン状態とし、無線通信部１７の電源をオフ状態とする電源制御を行う。つまり、無線ＬＡＮ機能による通信が困難な場合には屋外にいる可能性が高い。屋外においては、無線通信部１７の電源をオン状態にしていても、通信できる場所は少ないので、屋外を移動中には無線ＬＡＮ機能による通信をほとんど使用することができない。そこで、無線通信部１７の電源をオフ状態として消費電力を削減し、ＧＰＳ受信部１６によりＧＰＳ信号の受信を試みるようにしている。
一方、（２）ＧＰＳ受信部制御処理を行う際には、ＧＰＳ受信部１６によるＧＰＳ信号の受信が困難であると判定した場合には、無線通信部１７の電源をオン状態とし、ＧＰＳ受信部１６の電源をオフ状態とする電源制御を行う。つまり、ＧＰＳ信号の受信が困難である場合、屋内にいる可能性が高い。屋内においては、ＧＰＳ受信部１６の電源をオン状態にしていても現在位置を特定することができない場合が多いが、その代わりに無線ＬＡＮによる通信環境が整っている可能性が高い。そこで、ＧＰＳ受信部１６の電源をオフ状態として消費電力を削減し、無線通信部１７による通信を試みるようにしている。
【００２１】
図２はこのような電源制御が行われる様子を示す。図中の２１は図１の携帯端末、２２はＧＰＳ電波を発信するＧＰＳ衛星、２３は携帯端末２１が無線ＬＡＮアクセスポイントに対して通信が可能なエリアである。同図（ａ）のように、携帯端末２１が屋内等の無線通信可能エリア２３内からエリア外へ移動すると、無線ＬＡＮアクセスポイントとの通信が困難となるので、上述（１）の電源制御に従い、ＧＰＳ受信部１６の電源はオン状態となり、無線通信部１７の電源はオフ状態となる。一方、同図（ｂ）のように、携帯端末２１が無線通信可能エリア２３の外からエリア内に移動すると、ＧＰＳ信号の受信が困難になるので、ＧＰＳ受信部１６の電源はオフ状態となり、無線通信部１７の電源はオン状態となる。
【００２２】
図３は上述従来の通信の切断位置に基づいて電源制御を行う技術を応用した携帯端末における電源制御の様子を示す。図中の３１はこの携帯端末であり、携帯端末３１は図１の構成に加え、基地局３２を介して通話を行う機能を備える。同図（ａ）のように携帯端末３１がアクセスポイントとの通信が可能なエリア２３内からエリア外へ移動するとき、無線ＬＡＮ機能による通信が困難となるので、無線通信部１７の電源はオフ状態となり、そのときの位置が記憶される。一方、同図（ｂ）のように、他の位置から、記憶しておいた位置に近づいたとき、無線通信部１７の電源はオン状態となる。この間、ＧＰＳ受信部１６の電源は、記憶しておいた位置に近づいたことを検知するために、常時オン状態のままである。なお、基地局３２からの情報に基づいて現在位置を特定することも考えられるがその場合も常に基地局３２からの情報をモニタするための電力を消費することになる。
【００２３】
図２の本実施形態に係る携帯端末２１によれば、ＧＰＳ受信部１６及び無線通信部１７の電源の双方が同時にオン状態となることはないのに対し、図３の状従来技術を応用した携帯端末３１によれば、無線通信部１７の電源は必要に応じてオン・オフ状態の切替えが行われるが、ＧＰＳ受信部１６の電源は常にオン状態であるので、本実施形態に係る携帯端末２１の方がより高い省電力効果を有することがわかる。
【００２４】
図４は上述（１）の電源制御を行う無線通信部制御処理の一例を示すフローチャートである。処理を開始すると、ＣＰＵ１１は、まず、ステップ４１において、無線通信部１７の電源がオン状態であるか否かを判定する。オン状態であると判定した場合には、ステップ４２において、無線ＬＡＮアクセスポイントとの通信が可能であるか否かを判定する。この判定は、たとえば、受信電界強度や、受信信号におけるビット誤り率が所定の閾値以上であるかどうかに基づいて行うことがでる。次に、ステップ４３において、ユーザからの指示などに基づく無線ＬＡＮを介した通信の要求があれば、その通信に関する処理を行い、図４の処理を終了する。
【００２５】
一方、ステップ４２において無線通信が不能であると判定した場合には、ステップ４４において、通信不能状態になってから一定時間が経過したかどうかを判定する。一定時間が経過したと判定した場合には、ステップ４５において無線通信部１７の電源をオフ状態とし、ステップ４６においてＧＰＳ受信部１６の電源をオン状態として、図４の処理を終了する。他方、ステップ４１において無線通信部１７の電源がオン状態ではないと判定した場合、及びステップ４４において通信不能状態になってから一定時間が経過したと判定した場合には、そのまま図４の処理を終了する。
【００２６】
図５は上述（２）の電源制御を行うＧＰＳ受信部制御処理の一例を示すフローチャートである。処理を開始すると、ＣＰＵ１１は、まずステップ５１において、ＧＰＳ受信部１６の電源がオン状態であるか否かを判定する。オン状態であると判定した場合には、ステップ５２において、ＧＰＳ受信部１６によるＧＰＳ信号の受信が可能であるか否かを判定する。この判定は、たとえば、受信電界強度や、受信信号におけるビット誤り率の値が、所定の閾値以上かどうかに基づいていて行うことがでる。次に、ステップ５３において、受信したＧＰＳ信号に基づいて現在位置を特定し、図５の処理を終了する。
【００２７】
一方、ステップ５２においてＧＰＳ信号の受信が不能であると判定した場合には、ステップ５４において、受信不能状態になってから一定時間が経過したかどうかを判定する。一定時間が経過したと判定した場合には、ステップ５５においてＧＰＳ受信部１６の電源をオフ状態とし、ステップ５６において無線通信部１７の電源をオン状態として、図５の処理を終了する。他方、ステップ５１においてＧＰＳ受信部１６の電源がオン状態ではないと判定した場合、及びステップ５４において受信不能状態になってから一定時間が経過したと判定した場合には、そのまま図５の処理を終了する。
【００２８】
図４及び図５の処理によれば、無線通信部１７による通信が困難である場合にはＧＰＳ受信部１６の電源をオン状態、無線通信部１７の電源をオフ状態とし、ＧＰＳ受信部１６によるＧＰＳ信号の受信が困難である場合には、無線通信部１７の電源をオン状態、ＧＰＳ受信部１６の電源をオフ状態とするようにしたため、通常、ＧＰＳ受信部１６及び無線通信部１７の双方が同時にオン状態となることがないので、高度な省電力化を図ることができる。また、無線通信部１７又はＧＰＳ受信部１６のうちのいずれか一方への電力供給を制限しない場合には、他方への電力供給を制限することになるので（ステップ４５、４６、５５、５６）、電力供給が排他的に行われ、高度な省電力化を図ることができる。たとえば、ＧＰＳ信号の受信及び無線ＬＡＮによる通信が可能なエリアが重複することなく隣接している場合には、ＧＰＳ信号を良好に受信できている間は、無線通信部１７の電源をオフ状態とし、無線ＬＡＮによる通信が可能である間は、ＧＰＳ受信部１６の電源をオフ状態として、高度な省電力化を図ることができる。
【００２９】
ところで、上述（１）の電源制御の場合のようにＧＰＳ受信部１６の電源をオン状態とし、無線通信部１７の電源をオフ状態とする電源制御としては、次のようなものも考えられる。すなわち、（ａ）無線通信部１７による無線通信を行っている間においても一定期間毎にＧＰＳ受信部１６の電源をオン状態としてＧＰＳ信号の受信可否を判定し、受信可能であると判定した場合には、ＧＰＳ受信部１６の電源をオン状態としたまま、無線通信部１７の電源をオフ状態とする。又は、（ｂ）携帯端末が、加速度センサやジャイロセンサ等のような自身の移動を検知することができるセンサを備える場合には、携帯端末が移動したことを検知したときにＧＰＳ受信部１６の電源をオン状態として、ＧＰＳ信号の受信可否を判定し、受信可能であると判定した場合にはＧＰＳ受信部１６の電源をオン状態としたまま、無線通信部１７の電源をオフ状態とする。
【００３０】
一方、上述（２）の電源制御の場合のように無線通信部１７の電源をオン状態とし、ＧＰＳ受信部１６の電源をオフ状態とする電源制御としては、次のようなものも考えられる。すなわち、（ｃ）ＧＰＳ信号を良好に受信している間においても、一定期間毎に無線通信部１７の電源をオン状態として無線通信部１７による通信の可否を判定し、通信が可能であると判定した場合には、無線通信部１７の電源をオン状態としたまま、ＧＰＳ受信部１６の電源をオフ状態とする。
【００３１】
図６は上述の（２）及び（ａ）の電源制御を組み合わせた電源制御を行うＧＰＳ受信部制御処理の一例を示すフローチャートである。このＧＰＳ受信部制御処理において、ステップ６１〜６６の処理は図５のステップ５１〜５６の処理と同じであり、上述の（２）の電源制御に対応する処理である。ステップ６７〜７２において上述の（ａ）の電源制御が行われる。
【００３２】
すなわち、ＣＰＵ１１は、ステップ６１においてＧＰＳ受信部１６の電源がオン状態ではないと判定すると、ステップ６７において、ＧＰＳ受信部１６の電源がオフ状態となってから一定時間が経過したか否かを判定する。一定時間としては、ＧＰＳ信号の受信が可能となったかどうかを調べるタイミングの間隔として適切な時間が採用される。一定時間が経過したか否かの判定は、ステップ６５又は７２においてＧＰＳ受信部１６の電源をオフ状態としたときにタイマをリセットしておき、ステップ６７においてタイマの値を読み取ることにより行うことができる。
【００３３】
ステップ６７において一定時間が経過したと判定した場合には、ステップ６８においてＧＰＳ受信部１６の電源をオン状態とする。次にステップ６９において、ＧＰＳ受信部１６によるＧＰＳ信号の受信が可能かどうかを判定する。受信が可能であると判定した場合には、ステップ７０において、無線通信部１７の電源をオフ状態とする。次に、ステップ７１において、受信したＧＰＳ情報に基づいて現在位置を特定し、図６の処理を終了する。ステップ６９においてＧＰＳ信号の受信が可能ではないと判定した場合には、ステップ７２においてＧＰＳ受信部１６の電源をオフ状態とし、図６の処理を終了する。
【００３４】
図７は図６のＧＰＳ受信部制御処理を行う場合に実行される無線通信部制御処理を示すフローチャートである。処理を開始すると、ＣＰＵ１１は、まずステップ７１において、無線通信部１７の電源がオン状態であるか否かを判定する。オン状態であると判定した場合には、ステップ７２において、無線通信部１７による無線ＬＡＮアクセスポイントとの通信が可能であるか否かを判定する。次に、ステップ７３において、無線ＬＡＮを介した通信の要求があれば、要求に応じた通信に関する処理を行い、図７の処理を終了する。一方、ステップ７１において無線通信部１７の電源がオン状態ではないと判定した場合、及びステップ７２において無線通信部１７による通信が可能ではないと判定した場合には、そのまま図７の処理を終了する。
【００３５】
図６及び図７の処理によれば、ＧＰＳ信号の受信が困難になった場合には無線通信部１７の電源をオン状態とし、ＧＰＳ受信部１６の電源をオフ状態とするとともに（ステップ６５、６６）、無線通信部１７の電源がオン状態（ＧＰＳ受信部１６の電源オフ）で無線ＬＡＮによる通信が可能である状態においても一定期間毎にＧＰＳ信号の受信可否を確認し、受信可能であると判定した場合にはＧＰＳ受信部１６の電源をオン状態、無線通信部１７の電源をオフ状態とするようにしたため（ステップ６７〜７０）、通常は、ＧＰＳ受信部１６及び無線通信部１７のうちの一方の電源のみがオン状態となるので、より高度な省電力化を図ることができる。また、無線通信部１７又はＧＰＳ受信部１６のうちのいずれか一方への電力供給を制限しない場合には他方への電力供給を制限することになるので（ステップ６５、６６、６８、７０）、電力供給が排他的に行われ、高度な省電力化を図ることができる。
【００３６】
図８は上述（２）及び（ｂ）の電源制御を組み合わせた電源制御を行うＧＰＳ受信部制御処理の一例を示すフローチャートである。このＧＰＳ受信部制御処理において、ステップ８１〜８６の処理は図５のステップ５１〜５６の処理と同じであり、上述の（２）の電源制御に対応する処理である。ＣＰＵ１１は、ステップ８１においてＧＰＳ受信部１６の電源がオン状態ではないと判定した場合、ステップ８７において、上述（ｂ）の電源制御を行う。
【００３７】
図９はステップ８７において行われる電源制御処理を示すフローチャートである。処理を開始すると、ＣＰＵ１１は、まずステップ９１において、携帯端末の移動を検出するためのセンサの出力に基づき、センサ値を取得する。次に、ステップ９２において、携帯端末が移動しているか否かを判定する。この判定はたとえば加速度センサのセンサ値として得られる加速度や、ジャイロセンサのセンサ値として得られる角速度が所定値以上であるかどうかにより行うことができる。
【００３８】
携帯端末が移動していると判定した場合には、ステップ９３において、ＧＰＳ受信部１６の電源をオン状態とし、ステップ９４において、ＧＰＳ受信部１６によるＧＰＳ信号の受信が可能であるか否かを判定する。受信可能であると判定した場合には、ステップ９５において無線通信部１７の電源をオフ状態とし、図９の処理を終了する。受信可能でないと判定した場合には、ステップ９６においてＧＰＳ受信部１６の電源をオフ状態とし、図９の処理を終了する。一方、ステップ９２において携帯端末が移動していないと判定した場合には、そのまま図９の処理を終了する。
【００３９】
図８のＧＰＳ受信部制御処理を行う場合の無線通信部制御処理としては、図６のＧＰＳ受信部制御処理を行う場合と同様に、図７の無線通信部制御処理を用いることができる。
【００４０】
図８のＧＰＳ受信部制御処理によれば、ＧＰＳ信号の受信が困難であると判定した場合には無線通信部１７の電源をオン状態、ＧＰＳ受信部１６の電源をオフ状態とするとともに（ステップ８５、８６）、無線通信部１７による無線通信を行っている場合（ＧＰＳ受信部１６の電源オフ）においては、携帯端末が移動中であることを条件としてＧＰＳ信号の受信可否を判定し、受信可能であると判定した場合にはＧＰＳ受信部１６の電源をオン状態、無線通信部１７の電源をオフ状態とするようにしたため、ＧＰＳ受信部１６及び無線通信部１７のうち、一方の電源のみがオン状態となるので、高度な省電力化を図ることができる。
【００４１】
図１０は上述（１）の電源制御及び（ｃ）の電源制御を組み合わせた電源制御を行う無線通信部制御処理の一例を示すフローチャートである。この無線通信部制御処理においてステップ１０１〜１０６の処理は、図４のステップ４１〜４６の処理と同じであり、上述の（２）の電源制御に対応する処理である。ＣＰＵ１１は、ステップ１０１において無線通信部１７の電源がオン状態ではないと判定した場合、ステップ１０７〜１１２において上述（ｃ）の電源制御を行う。
【００４２】
すなわち、ステップ１０１において無線通信部１７の電源がオン状態ではないと判定した場合、ステップ１０７において、無線通信部１７の電源がオフ状態となってから一定時間が経過したか否かを判定する。この判定は、ステップ１０５又は１１２において無線通信部１７の電源をオフ状態としたときにタイマをリセットしておき、ステップ１０７においてこのタイマの値を読み取ることにより行うことができる。
【００４３】
ステップ１０７において一定時間が経過したと判定した場合には、ステップ１０８において無線通信部１７の電源をオン状態とする。次に、ステップ１０９において、無線通信部１７による通信が可能かどうかを判定する。可能であると判定した場合には、ステップ１１０において、ＧＰＳ受信部１６の電源をオフ状態とする。次に、ステップ１１１において、無線通信部１７を介した通信の要求が存在することを条件として、その通信の処理を行い、図１０の処理を終了する。ステップ１０９において通信が可能ではないと判定した場合には、ステップ１１２において無線通信部１７の電源をオフ状態とし、図１０の処理を終了する。
【００４４】
図１１は図１０の無線通信部制御処理を行う場合に実行されるＧＰＳ受信部制御処理を示すフローチャートである。処理を開始すると、ＣＰＵ１１は、まずステップ１１３において、無線通信部１７の電源がオン状態であるか否かを判定する。オン状態であると判定した場合には、ステップ１１４において、ＧＰＳ受信部１６によるＧＰＳ信号の受信が可能であるか否かを判定する。受信可能であると判定した場合には、ステップ１１５において、受信したＧＰＳ情報に基づき、現在位置を特定し、図７の処理を終了する。一方、ステップ１１３において無線通信部１７の電源がオン状態ではないと判定した場合、及びステップ１１４においてＧＰＳ受信部１６によるＧＰＳ信号の受信が可能ではないと判定した場合には、そのまま図１１の処理を終了する。
【００４５】
図１０及び図１１の処理によれば、無線通信部１７による通信が困難であると判定した場合には無線通信部１７の電源をオフ状態、ＧＰＳ受信部１６の電源をオン状態とするとともに（ステップ１０５、１０６）、ＧＰＳ信号を良好に受信することができている間（無線通信部１７の電源オフ）においても、一定期間毎に無線通信部１７の電源をオン状態とし、無線通信部１７による通信の可否を確認し、通信が可能であると判定した場合には無線通信部１７の電源をオン状態、ＧＰＳ受信部１６の電源をオフ状態とするようにしたため（ステップ１０７〜１１０）、ＧＰＳ受信部１６及び無線通信部１７のうちの一方の電源のみがオン状態となるので、高度な省電力化を図ることができる。
【００４６】
図１２は図６及び図１０の処理を組み合わせるとともに、ＧＰＳ信号の受信及び無線通信部１７による通信の双方が可能である領域においてはＧＰＳ信号の受信を優先して行うようにした場合におけるＧＰＳ受信部制御処理の一例を示すフローチャートである。このＧＰＳ受信部制御処理は図６のＧＰＳ受信部制御処理に対し、ステップ１２１及び１２２を追加したものとなっている。図１２中のステップ６１〜７２においては、図６中のステップ６１〜７２と同内容の処理が行われる。すなわち、図１２のＧＰＳ受信部制御処理において、ＣＰＵ１１は、ステップ６２においてＧＰＳ受信部１６によるＧＰＳ信号の受信が可能であると判定した場合には、ステップ１２１において、ＧＰＳ受信部１６が動作中である旨を記憶してから、ステップ６３の処理へ移行する。また、ステップ６６において無線通信部１７の電源をオン状態とした後、ステップ１２２において、ＧＰＳ受信部１６が停止中である旨を記憶してから、図１２の処理を終了する。他の点については、図６のＧＰＳ受信部制御処理の場合と同様である。
【００４７】
図１３は図１２のＧＰＳ受信部制御処理が行われる場合に実行される無線通信部制御処理を示すフローチャートである。この無線通信部制御処理は、図１０の無線通信部制御処理においてステップ１３１の処理を追加したものとなっている。図１３中のステップ１０１〜１１２においては、図１０中のステップ１０１〜１１２と同内容の処理が行われる。すなわち、ＣＰＵ１１は、ステップ１０１において無線通信部１７の電源がオン状態ではないと判定した場合、ステップ１３１においてＧＰＳ受信部１６が停止中であるかどうかを判定する。この判定は、図１２のステップ１２１又は１２２の処理において記憶した内容に基づいて行うことができる。停止中であると判定した場合には、ステップ１０７の処理へ移行し、停止中ではないと判定した場合には、そのまま図１３の処理を終了する。他の点については、図１０のＧＰＳ受信部制御処理の場合と同様である。
【００４８】
図１２及び図１３のＧＰＳ受信部制御処理及び無線通信部制御処理によれば、無線通信部１７による通信のみが可能な領域Ａ、無線通信部１７による通信及びＧＰＳ受信部１６によるＧＰＳ信号の受信の双方が可能な領域Ｂ、ＧＰＳ受信部１６によるＧＰＳ信号の受信のみが可能な領域Ｃ、並びにＧＰＳ信号の受信及び無線通信部１７による通信の双方とも不能である領域Ｄ間を、携帯端末を所持したユーザが移動する場合、次のような電源制御が行われることになる。
【００４９】
ユーザが、領域Ａ以外の他の領域から領域Ａに移動してきた場合、又は領域Ａにおいて携帯端末の電源をオン状態とした場合には、ＧＰＳ受信部１６の電源がオフ状態、無線通信部１７の電源がオン状態とされる。すなわち、領域Ａに移動してきた場合、又は携帯端末の電源をオン状態とした場合の初期状態において、ＧＰＳ受信部１６及び無線通信部１７双方の電源がオフ状態であれば、無線通信部制御処理により、ＧＰＳ受信部１６の電源がオフ状態とされ、無線通信部１７の電源がオン状態とされる（ステップ１０１、１３１、１０７〜１１１）。該初期状態においてＧＰＳ受信部１６及び無線通信部１７双方の電源がオン状態であれば、ＧＰＳ受信部制御処理により、ＧＰＳ受信部１６の電源のみがオフ状態とされる（ステップ６１、６２、６４、６５、６６、１２２）。該初期状態においてＧＰＳ受信部１６の電源のみがオン状態であれば、ＧＰＳ受信制御処理により、ＧＰＳ受信部１６の電源がオフ状態、無線通信部１７の電源がオン状態とされる（ステップ６１、６２、６４、６５、６６、１２２）。該初期状態において無線通信部１７の電源のみがオン状態であれば、ＧＰＳ受信部制御処理及び無線通信部制御処理のいずれによってもＧＰＳ受信部１６及び無線通信部１７の電源のオン・オフ状態は変更されない（ステップ６１、６７〜６９、７２；ステップ１０１〜１０３）。
【００５０】
ユーザが、領域Ｂ以外の他の領域から領域Ｂに移動してきた場合、又は領域Ｂにおいて携帯端末の電源をオン状態とした場合には、ＧＰＳ受信部１６の電源がオン状態、無線通信部１７の電源がオフ状態とされる。ただし、携帯端末の電源をオン状態としたときの初期状態がＧＰＳ受信部１６及び無線通信部１７双方の電源がともにオン状態である場合には、双方の電源ともにオン状態が維持される。すなわち、領域Ｂに移動してきた場合、又は携帯端末の電源をオン状態とした場合の初期状態において、ＧＰＳ受信部１６及び無線通信部１７双方の電源がオフ状態であれば、ＧＰＳ受信部制御処理により、ＧＰＳ受信部１６の電源がオン状態、無線通信部１７の電源がオフ状態とされる（ステップ６１、６７〜７１）。この場合、ＧＰＳ受信部制御処理において、ステップ１２２の処理によりＧＰＳ受信部１６が停止中である旨が記憶される場合はないので、無線通信部制御処理のステップ１０８及び１１０において無線通信部１７の電源がオン状態、ＧＰＳ受信部１６の電源がオフ状態とされることはない。
【００５１】
該初期状態においてＧＰＳ受信部１６及び無線通信部１７双方の電源がオン状態であれば、ＧＰＳ受信部制御処理においては常にステップ６１、６２、１２１、６３が実行されるとともに、無線通信部制御処理においては常にステップ１０１〜１０３が実行されるので、双方の電源がオンである状態が維持される。該初期状態においてＧＰＳ受信部１６の電源のみがオン状態であれば、ＧＰＳ受信制御処理においては常にステップ６１、６２、１２１、及び６３が実行され、無線通信部制御処理においては常にステップ１０１及び１３１が実行されるのみであるため、ＧＰＳ受信部１６の電源のみがオンである状態が維持される。該初期状態において無線通信部１７の電源のみがオン状態であれば、ＧＰＳ受信部制御処理により、ＧＰＳ受信部１６の電源がオン状態、無線通信部１７の電源がオフ状態とされ（ステップ６１、６７〜７１）、その後、この状態が維持される。
【００５２】
ユーザが、領域Ｃ以外の他の領域から領域Ｃに移動してきた場合、又は領域Ｃにおいて携帯端末の電源をオン状態とした場合には、ＧＰＳ受信部１６の電源がオン状態、無線通信部１７の電源がオフ状態とされる。すなわち、領域Ｃに移動してきた場合、又は領域Ｃにおいて携帯端末の電源をオン状態とした場合の初期状態において、ＧＰＳ受信部１６及び無線通信部１７双方の電源がオフ状態であれば、ＧＰＳ受信部制御処理によりＧＰＳ受信部１６の電源がオン状態、無線通信部１７の電源がオフ状態とされ（ステップ６１、６７〜７１）、その後、この状態が維持される。該初期状態においてＧＰＳ受信部１６及び無線通信部１７双方の電源がオン状態であれば、無線通信部制御処理において、無線通信部１７の電源のみがオフ状態とされ（ステップ１０１、１０２、１０４〜１０６）、その後、この状態が維持される。該初期状態においてＧＰＳ受信部１６の電源のみがオン状態であれば、ＧＰＳ受信制御処理においてはステップ６１、６２、１２１、及び６３が実行され、無線通信部制御処理においてはステップ１０１及び１３１が実行されるので、ＧＰＳ受信部１６の電源のみがオンである状態が維持される。該初期状態において無線通信部１７の電源のみがオン状態であれば、ＧＰＳ受信部制御処理によりＧＰＳ受信部１６の電源がオン状態、無線通信部１７の電源がオフ状態とされ（ステップ６１、６７〜７１）、又は無線通信部制御処理によってＧＰＳ受信部１６の電源がオン状態、無線通信部１７の電源がオフ状態とされ（ステップ１０１、１０２、１０４〜１０６）、その後、この状態が維持される。
【００５３】
ユーザが、領域Ｄ以外の他の領域から領域Ｄに移動してきた場合、又は領域Ｄにおいて携帯端末の電源をオン状態とした場合には、ＧＰＳ受信部１６の電源がオンで無線通信部１７の電源がオフである状態と、ＧＰＳ受信部１６の電源がオフで無線通信部１７の電源がオンの状態とを一定時間毎に繰り返す。ただし、領域Ｄに移動してきた場合、又は領域Ｄにおいて携帯端末の電源をオン状態とした場合の初期状態において、ＧＰＳ受信部１６及び無線通信部１７双方の電源がオフ状態であれば、ＧＰＳ受信部制御処理及び無線通信部制御処理のいずれにおいても、この双方の電源がオフ状態である状態が変化することはない。すなわち、該初期状態において双方の電源がオン状態である場合には、ＧＰＳ受信部制御処理において、ＧＰＳ受信部１６の電源がオフ状態、無線通信部１７の電源がオン状態とされ（ステップ６１、６２、６４〜６６、１２２）、又は無線通信部制御処理において、ＧＰＳ受信部１６の電源がオン状態、無線通信部１７の電源がオフ状態とされる（ステップ１０１、１０２、１０４〜１０６）。この後、一定時間毎に、ＧＰＳ受信部１６の電源をオン状態、無線通信部１７の電源をオフ状態とする処理、及びＧＰＳ受信部１６の電源をオフ状態、無線通信部１７の電源をオン状態とする処理が、交互に繰り返されることになる。該初期状態においてＧＰＳ受信部１６の電源のみがオン状態又は無線通信部１７の電源のみがオン状態である場合も、同様に、一定時間毎に、ＧＰＳ受信部１６の電源をオフ状態、無線通信部１７の電源をオン状態とする処理、及びＧＰＳ受信部１６の電源をオン状態、無線通信部１７の電源をオフ状態とする処理が、交互に繰り返されることになる。
【００５４】
このように、図１２のＧＰＳ受信制御処理及び図１３の無線通信部制御処理によれば、ＧＰＳ受信部１６によるＧＰＳ信号の受信及び無線通信部１７による通信の双方が可能な領域Ｂにおいては、ＧＰＳ受信部１６の電源をオン状態とし、現在位置を特定する処理を優先させて行うことができる。
【００５５】
図１４は図６及び図１０の処理を組み合わせるとともに、ＧＰＳ信号の受信及び無線通信部１７による通信の双方が可能である領域においては無線通信部１７による通信を優先して行うようにした場合におけるＧＰＳ受信部制御処理の一例を示すフローチャートである。このＧＰＳ受信部制御処理は、図６のＧＰＳ受信部制御処理に対し、ステップ１４１の処理を追加したものとなっている。図１４中のステップ６１〜７２においては、図６中のステップ６１〜７２と同内容の処理が行われる。すなわち、ＣＰＵ１１は、図１４のステップ６１においてＧＰＳ受信部１６の電源がオン状態ではないと判定した場合には、ステップ１４１において、無線通信部１７が停止中であるかどうかを判定する。この判定は、後述する図１５のステップ１５１又は１５２において記憶される内容に基づいて行われる。停止中であると判定した場合には、ステップ６７の処理へ移行し、停止中ではないと判定した場合には、そのまま図１４の処理を終了する。他の点については、図６のＧＰＳ受信部制御処理の場合と同様である。
【００５６】
図１５は図１４のＧＰＳ受信部制御処理が行われる場合に実行される無線通信部制御処理を示すフローチャートである。この無線通信部制御処理は、図１０の無線通信部制御処理に対してステップ１５１及び１５２の処理を追加したものとなっている。図１５中のステップ１０１〜１１２においては、図１０中のステップ１０１〜１１２と同内容の処理が行われる。すなわち、ＣＰＵ１１は、図１５のステップ１０２において無線通信部１７による通信が可能であると判定した場合には、ステップ１５１において、無線通信部１７が動作中である旨を記憶してからステップ１０３へ移行する。また、ステップ１０６においてＧＰＳ受信部１６の電源をオン状態とした後、ステップ１５２において、ＧＰＳ受信部１６が停止中である旨を記憶してから図１５の処理を終了する。他の点については、図１０のＧＰＳ受信部制御処理の場合と同様である。
【００５７】
図１２及び図１３の処理においては、ステップ１２１、１２２、及び１３１により、ＧＰＳ受信部１６によるＧＰＳ信号の受信及び無線通信部１７による通信の双方が可能な領域Ｂにおいては、ＧＰＳ受信部１６の電源をオン状態とし、現在位置を特定する処理を優先させて行うようにしている。これに対し、図１４及び図１５の処理においては、ステップ１４１、１５１、及び１５２により、領域Ｂにおいては、逆に、無線通信部１７の電源をオン状態とし、無線通信部１７による通信を優先させて行うようにしている。これ以外の点については、図１２及び図１３の処理の場合と同様の制御が行われる。
【００５８】
図１６は図８及び図１０の処理を組み合わせるとともに、ＧＰＳ信号の受信及び無線通信部１７による通信の双方が可能である領域ＢにおいてはＧＰＳ信号の受信を優先して行うようにした場合におけるＧＰＳ受信部制御処理の一例を示すフローチャートである。このＧＰＳ受信部制御処理は図８のＧＰＳ受信部制御処理において、ステップ１６１の処理を追加し、ステップ８７の処理をステップ１６２の処理に置き換えたものとなっている。すなわち、図１６のＧＰＳ受信部制御処理において、ＣＰＵ１１は、ステップ８１〜８６においては、図８中のステップ８１〜８６と同内容の処理を行う。また、ステップ８６において無線通信部１７の電源をオン状態とした後、ステップ１６１においてＧＰＳ受信部１６が停止中である旨を記憶してから、図１６の処理を終了する。また、ステップ８１においてＧＰＳ受信部１６の電源がオン状態であると判定した場合、ステップ１６２において、所定の電源制御処理を行ってから図１４の処理を終了する。
【００５９】
図１７はステップ１６２の電源制御処理を示すフローチャートである。この電源制御処理は図９の電源制御処理において、ステップ１７１を追加したものとなっている。すなわち、図１７の電源制御処理において、ＣＰＵ１１は、ステップ９１〜９６においては図９中のステップ９１〜９６と同様の処理を行う。また、ステップ９５において無線通信部１７の電源をオフ状態とした後は、ステップ１７１において、ＧＰＳ受信部１６が動作中である旨を記憶してから、図１７の処理を終了する。
【００６０】
図１７のＧＰＳ受信部制御処理が行われる場合には、無線通信部制御処理として、図１３の無線通信部制御処理が実行される。
【００６１】
図１７及び図１３の処理によれば、図１２及び図１３の処理による場合と同様にＧＰＳ受信部１６の動作を優先させるとともに、ＧＰＳ受信部１６の電源がオフ状態にある場合に、携帯端末が移動したとき、ＧＰＳ信号の受信が可能であれば、ＧＰＳ受信部１６の電源をオン状態、無線通信部１７の電源をオフ状態とすることができる。
【００６２】
図１８は図８及び図１０の処理を組み合わせるとともに、ＧＰＳ信号の受信及び無線通信部１７による通信の双方が可能である領域Ｂにおいては無線通信部１７による通信を優先して行うようにした場合におけるＧＰＳ受信部制御処理の一例を示すフローチャートである。このＧＰＳ受信部制御処理は図８のＧＰＳ受信部制御処理において、ステップ８７の処理をステップ１８１の処理に置き換えたものとなっている。すなわち、図１８のＧＰＳ受信部制御処理において、ＣＰＵ１１は、ステップ８１〜８６においては、図８中のステップ８１〜８６と同内容の処理を行う。また、ステップ８１においてＧＰＳ受信部１６の電源がオン状態ではないと判定した場合、ステップ１８１において、所定の電源制御処理を行ってから、図１８の処理を終了する。
【００６３】
図１９はステップ１８１の電源制御処理を示すフローチャートである。この電源制御処理は図９の電源制御処理において、ステップ１９１を追加したものとなっている。すなわち、図１９の電源制御処理において、ＣＰＵ１１は、ステップ９１〜９６では、図９中のステップ９１〜９６と同様の処理を行う。図１９の処理の開始時には、まず、ステップ１９１において、無線通信部１７の動作が停止中か否かを判定し、停止中ではないと判定した場合に、ステップ９１〜９６の処理を行う。停止中であると判定した場合には、そのまま図１９の処理を終了する。
【００６４】
図１９のＧＰＳ受信部制御処理が行われる場合には、無線通信部制御処理として、図１５の無線通信部制御処理が用いられる。図１５のステップ１５１又は１５２において記憶される内容に基づいて、図１９のステップ１９１における判定が行われる。
【００６５】
図１９及び図１５の処理によれば、図１４及び図１５の処理による場合と同様に無線通信部１７の動作を優先させるとともに、ＧＰＳ受信部１６の電源がオフ状態にある場合に携帯端末が移動したとき、ＧＰＳ信号の受信が可能であれば、ＧＰＳ受信部１６の電源をオン状態、無線通信部１７の電源をオフ状態とすることができる（ステップ８１、９１〜９５）。
【００６６】
なお、本発明は上述実施形態に限定されることなく、適宜変形して実施することができる。たとえば、上述においては、携帯端末が通信を行うための無線アクセスポイントとして、無線ＬＡＮアクセスポイントを用いる場合について説明したが、これに限らず、ＬＡＮ以外のネットワークに接続するためのアクセスポイントであってもよい。
【００６７】
また、上述においては、携帯端末の現在位置を取得するためにＧＰＳを利用するようにしているが、この代わりに、他の衛星測位システムを利用するようにしてもよい。
【００６８】
また、上述においては、電力供給を制限し及び制限を解除する電源制御の例として、電源のオン・オフを制御する場合について述べたが、この代わりに、供給電力量を減少させてスリープ状態に移行させ、及び該状態から復帰させるような制御を行うようにしてもよい。
【００６９】
また、上述においては、ＧＰＳ受信部１６又は無線通信部１７のうちのいずれか一方への電力供給を制限しない場合には他方への電力供給を制限する処理として、図４及び図５のステップ４５、４６、５５、５６や、図６のステップ６８、７０の処理を例示したが、これらの処理に限定されず、たとえば、ユーザの指示によりＧＰＳ受信部１６又は無線通信部１７のうちの一方による受信又は通信を試行するような指示が与えられた場合に、該一方の電源をオン状態とし、オン状態であった他方の電源をオフ状態とする処理も該当する。
【００７０】
なお、上述の実施例における、ＧＰＳ受信部１６は例えば、受信部として機能し、無線通信部１７は例えば通信部として機能する。また、ＣＰＵ１１及び時計・タイマ部１５は例えば、制御部として機能する。
【符号の説明】
【００７１】
１１：ＣＰＵ、１２：表示部、１３：操作部、１４：情報記憶部、１５：時計・タイマ部、１６：ＧＰＳ受信部、１７：無線通信部、１８,１９：アンテナ、２１：携帯端末、２２：ＧＰＳ衛星、２３：無線通信可能エリア、３２：基地局、３１：携帯端末。
【図１】
2011193296.tif 000003
【図２】
2011193296.tif 000004
【図３】
2011193296.tif 000005
【図４】
2011193296.tif 000006
【図５】
2011193296.tif 000007
【図６】
2011193296.tif 000008
【図７】
2011193296.tif 000009
【図８】
2011193296.tif 000010
【図９】
2011193296.tif 000011
【図１０】
2011193296.tif 000012
【図１１】
2011193296.tif 000013
【図１２】
2011193296.tif 000014
【図１３】
2011193296.tif 000015
【図１４】
2011193296.tif 000016
【図１５】
2011193296.tif 000017
【図１６】
2011193296.tif 000018
【図１７】
2011193296.tif 000019
【図１８】
2011193296.tif 000020
【図１９】
2011193296.tif 000021